(57)【特許請求の範囲】
【請求項１】
摩擦調整用粒子材料を、平均粒径が０．１〜０．５μｍのチタン酸カリウム粒子、未架橋ゴム及び熱硬化性樹脂を含む熱硬化性樹脂組成物含有溶液の存在下で造粒し、得られた造粒物を、水溶性または水分散性結合材含有溶液の存在下で造粒することを特徴とする摩擦材用造粒物の製造方法。
【請求項２】
請求項１記載の方法により得られた摩擦材用造粒物を成形して摩擦材を得ることを特徴とする摩擦材の製造方法。
【請求項３】
摩擦調整用粒子材料を、平均粒径が０．１〜０．５μｍのチタン酸カリウム粒子、未架橋ゴム及び熱硬化性樹脂を含む熱硬化性樹脂組成物含有溶液の存在下で造粒し、得られた造粒物を、水溶性または水分散性結合材含有溶液の存在下で造粒して得た摩擦材用造粒物を成形して得た摩擦材。
【発明の詳細な説明】
【技術分野】
【０００１】
本発明は、摩擦性能等の品質に優れた摩擦材及びそれに用いることのできる摩擦材用造粒物の製造方法に関し、特に自動車、鉄道車両、産業機械等のブレーキパッド、ブレーキライニング、クラッチフェーシング等に用いられる摩擦材に関するものである。
【背景技術】
【０００２】
ディスクブレーキやドラムブレーキなどのブレーキ、或いはクラッチなどに使用される摩擦材は、補強作用をする繊維基材、摩擦作用を与え且つその摩擦性能を調整する摩擦調整材、及び、これらの成分を一体化する結合材などの材料からなっている。
摩擦材に摩擦作用を与え且つ摩擦性能を調整する材料として、一般に摩擦調整材、固体潤滑材、充填材等と呼ばれる種々の固体粉末状の材料が用いられている。これらはそれぞれの特徴があり、通常２種類以上のものを組み合わせて摩擦材に使用されている。
【０００３】
摩擦材の結合材として通常使用されるフェノール系熱硬化性樹脂（各種エラストマー変性も含む）は、耐熱性や耐久性に優れるが、このようなフェノール系熱硬化性樹脂は、アラミド系繊維等の繊維基材との濡れ性が十分でないため、その濡れ性を改善した樹脂組成物が特許文献１に、また、特許文献２には、アラミド繊維等の繊維基材、ストレートフェノール樹脂とフェノールアラルキル樹脂、充填材を含有する組成物からなるディスクパッド摩擦材への高負荷条件下において、ディスクパッドとしての耐久性を維持しつつ鳴き発生の低減、及び摩擦材とバックプレート接着面端部および近傍のキレツ、はがれを低減化するディスクパッドが開示されている。  
【０００４】
また、摩擦材のこれらの原材料は粉体であるため、材料凝集や製造プロセス内での壁面付着、粉塵の発生、さらには繊維材料の配合によるプロセスの簡素化の阻害など、環境面やプロセス改革上の大きな課題となっている。この対策として、これらの粉体原材料を造粒物とする方法があるが、一般的に、造粒物は強固な表面をもった球形状をしているため、成形体内での造粒物界面の残存が成形体の強度低下の大きな原因となっている。これを解決するものとして、造粒用結合材としてポリビニルアルコール等の水溶性ないし水分散性結合材を用いる方法が特許文献３に記載されている。
【先行技術文献】
【特許文献】
【０００５】
【特許文献１】特開２００４−２３１８５０号公報
【特許文献２】特開２００６−２７５１９８号公報
【特許文献３】特開２００８−１８９７３８号公報
【発明の概要】
【発明が解決しようとする課題】
【０００６】
このような状況の下、アラミド繊維等の芳香族ポリアミド繊維は、摩擦材等に使用した場合、粉体原材料の偏析・分離、あるいは飛散による品質、環境面での影響が懸念されるため、繊維を含まない摩擦材等が望まれている。しかしながら、従来の樹脂組成物を含む系では、原材料間の接着性が小さいため、摩擦材等から当該繊維を除くと性能が悪化するという問題があり、より安全で、かつ十分な耐久強度を有する摩擦材の出現が望まれている。  
【０００７】
一方、従来の摩擦材は、従来の造粒物を用いた場合でも、これらの造粒物は成形用結合材として従来用いられているフェノール系熱硬化性樹脂を用いて成形しているため、アラミド繊維等の有機繊維を用いるという点では上記と同様の課題があり、更には、繊維材料の配合によるプロセスの簡易化の阻害などの課題を有している。  
【０００８】
他方、特許文献３の技術では、造粒用結合材として水溶性ないし水分散性結合材を用いているため、耐熱性の点において課題があり、また、造粒物を成形するための成形用結合材が粉末であるため、材料凝集や製造プロセス内での壁面付着、粉塵の発生等の環境面での課題を有している。  
【０００９】
本発明は、上記の課題を解決するものであり、アラミド繊維等の繊維基材で補強しなくても、十分な機械的強度に優れる摩擦材を提供するものである。
本発明は更に、繊維基材で補強しなくても十分な機械的強度に優れる摩擦材を、材料凝集や製造プロセス内での壁面付着や粉塵の発生等がなく、プロセスの簡易化が可能な方法で製造する、優れた摩擦材の製造方法を提供するものである。
【課題を解決するための手段】
【００１０】
本発明者らは、種々検討の結果、特定の熱硬化性樹脂組成物含有溶液を造粒用結合材として用いて造粒物を得、更に水溶性または水分散性結合材含有溶液で造粒して摩擦材用造粒物を得、これを用いて摩擦材を製造することにより、上記課題が解決できることを見出し、以下のとおりの本発明に到達したものである。  
【００１１】
（１）摩擦調整用粒子材料を、平均粒径が０．１〜０．５μｍのチタン酸カリウム粒子、未架橋ゴム及び熱硬化性樹脂を含む熱硬化性樹脂組成物含有溶液の存在下で造粒し、得られた造粒物を、水溶性または水分散性結合材含有溶液の存在下で造粒することを特徴とする摩擦材用造粒物の製造方法。
（２）上記（１）記載の方法により得られた摩擦材用造粒物を成形して摩擦材を得ることを特徴とする摩擦材の製造方法。  
【００１２】
（３）摩擦調整用粒子材料を、平均粒径が０．１〜０．５μｍのチタン酸カリウム粒子、未架橋ゴム及び熱硬化性樹脂を含む熱硬化性樹脂組成物含有溶液の存在下で造粒し、得られた造粒物を、水溶性または水分散性結合材含有溶液の存在下で造粒して得た摩擦材用造粒物を成形して得た摩擦材。  
【００１３】
本発明者らは、平均粒径が０．１〜０．５μｍのチタン酸カリウム粒子、未架橋ゴム及び熱硬化性樹脂を含む熱硬化性樹脂組成物含有溶液を、摩擦調整用粒子材料（原材料）の造粒用結合材として用いることにより、該原材料が強固に接着され、アラミド繊維等の繊維基材で補強しなくとも優れた機械的特性を有する摩擦材が得られることを見出したものである。更に本発明では、該熱硬化性樹脂組成物含有溶液を造粒用結合材として用いて得た造粒物（以下、「一次造粒物」と言うこともある。）を、水溶性または水分散性結合材含有溶液の存在下で造粒することにより（以下、これにより得られた造粒物を「二次造粒物」と言うこともある。）、機械的特性を十分に維持したまま、粒子成長が不十分な摩擦材原料により生じる壁面付着や粉塵の発生等を有効に抑えることができることが分かった。  
【００１４】
また、本発明の造粒物は、該摩擦調整用粒子材料（原材料）の表面に被覆された該熱硬化性樹脂組成物が、上記水溶性または水分散性結合材含有溶液による造粒によっても十分に機能して、熱硬化したときに原材料同士が十分に接着して摩擦材が成形されるため、これらの造粒物を成形する際に従来用いられていたフェノール樹脂等の成形用結合材粉末を用いる必要がなくなり、熱硬化時における成形用結合材の軟化による移動が小さくなり、造粒物の構造が反映された、すなわち、原材料の配置等が制御された摩擦材を得ることができる。
【発明の効果】
【００１５】
本発明の摩擦材用造粒物を用いることにより、アラミド繊維等の繊維基材で補強しなくても十分な機械的強度に優れる摩擦材を、材料凝集や製造プロセス内での壁面付着、粉塵の発生、さらには繊維材料の配合によるプロセスの簡素化の阻害などの問題なく、有効に製造することができる。
【発明を実施するための最良の形態】
【００１６】
本発明の摩擦材は、摩擦調整用粒子材料を特定の熱硬化性樹脂組成物含有溶液を造粒用結合材として得た一次造粒物を、更に水溶性または水分散性結合材含有溶液を用いて造粒して得た二次造粒物を成形して得られるものである。摩擦材には、通常、摩擦材を補強する作用を有する繊維基材、摩擦材に含まれる材料を一体化させるための結合材、及び、摩擦材に摩擦作用を与え、且つその摩擦性能を調整するための種々の固体粉末材料が用いられており、これらの固体粉末材料は、場合によって、摩擦調整材、固体潤滑材、充填材等の名称で呼ばれている。本発明では、これらを特に区別することなく、繊維基材及び結合材以外の、摩擦材に摩擦作用を与え且つその摩擦性能を調整する固体粉末状の材料を、総称して「摩擦調整用粒子材料」または単に「摩擦調整材」と称する。  
【００１７】
本発明の摩擦材は、平均粒径が０．１〜０．５μｍのチタン酸カリウム粒子、未架橋ゴム及び熱硬化性樹脂を含む熱硬化性樹脂組成物含有溶液を造粒用結合材として用いることを特徴とし、これにより摩擦調整用粒子材料が造粒されるとともに、各造粒物同士が強固に接着されるため、繊維基材を含有せずとも十分な機械的強度を得ることができる。更に本発明では、水溶性または水分散性結合材含有溶液を用いて造粒しても、上記の熱硬化性樹脂組成物の機能を十分に発揮させることができ、更に製造工程における粉塵の発生等の問題を有効に解消することができる。  
【００１８】
本発明において、チタン酸カリウム粒子は熱硬化性樹脂の補強材として使用される。チタン酸カリウム粒子は、熱硬化性樹脂の中へ分散させるため、未架橋ゴムやそれ以外の摩擦材用原材料よりも粒子が小さいことが好ましい。
そのため、本発明におけるチタン酸カリウム粒子の平均粒径は、０．１〜０．５μｍが好ましく、より好ましいのは０．１〜０．３μｍである。この範囲のチタン酸カリウム粒子を使用することにより、３００℃以上の高温域での機械的強度の向上が可能である。なお、平均粒径の測定方法は、レーザー回折式、あるいは動的光散乱式粒度分布計により測定される値である。また、熱硬化性樹脂組成物の他の粉体についても同様である。  
【００１９】
本発明の熱硬化性樹脂組成物は、摩擦調整材とともに用いることにより、熱硬化性樹脂と未架橋ゴムのポリマーブレンドによって、摩擦調整材間の密着性を向上させることができる。また、熱硬化性樹脂中のチタン酸カリウム粒子は、アンカー効果により熱硬化後の熱硬化性樹脂組成物の機械的強度を向上させる。これらの複合効果により、本発明の熱硬化性樹脂組成物は摩擦調整材の結合材として機能し、高温においても機械的強度の高い摩擦材となるものと推定される。以下、本発明の熱硬化性樹脂組成物について更に詳述する。  
【００２０】
本発明で用いるチタン酸カリウム粒子は、所定の平均粒径を有するものであれば特に制限はないが、流通しているものは平均粒径が大きいのが通例であり、湿式粉砕処理が施されたチタン酸カリウム粒子を用いることが好ましい。
湿式粉砕機としては、ジェットミル、ビーズミル等が挙げられ、特にビーズミルが好ましい。分散媒としては、処理によりチタン酸カリウム粒子の構造、及び分散性に悪影響を与えないものであれば特に制限なく用いることができるが、イソプロピルアルコール、エタノール等が好ましいものとして挙げられる。
また、ビーズミルに用いるビーズとしては、ジルコニア、アルミナ等が挙げられ、ビーズ直径を０．０５〜０．３ｍｍから選択することが好ましい。また、この場合、ビーズの充填率、処理時間等を組み合わせることにより、所定の平均粒径を有したチタン酸カリウム粒子を得ることができる。  
【００２１】
粉砕処理されたチタン酸カリウム粒子は、乾燥させて粉末状としても、そのままのスラリー状としても熱硬化性樹脂組成物の調製に用いることができる。
チタン酸カリウム粒子は、熱硬化性樹脂組成物全体（固形分）に対して５〜２５質量％が好ましく、１０〜２０質量％が更に好ましく、本発明の効果を有効に発揮することができる。５質量％未満では、添加効果が小さく、２５質量％を超えると、それ以上の向上効果が発現しない。  
【００２２】
未架橋ゴムは、熱硬化性樹脂組成物とともに用いられる摩擦調整用粒子材料との界面による接着性を強固にする機能を有する。
用いられる未架橋ゴムの例としては、ＮＢＲ（アクリロニトリルブタジエンゴム）、ＳＢＲ（スチレンブタジエンゴム）、ＩＩＲ（ブチルゴム）、ＮＲ（天然ゴム）、ＩＲ（合成天然ゴム）、ＢＲ（ブタジエンゴム）、ＡＣＭ（アクリルゴム）、ＥＰＤＭ（エチレンプロピレンゴム）、及びそれらの変性体（アミノ基、カルボキシル基などの官能基を導入したもの）などが挙げられ、所望の特性（モノマー配合率）を示すものを適宜選択して、単独または２種以上組み合わせて用いる。この場合、種類が同じものであってもよいし、異なる種類のものであってもよい。例えば、ＮＢＲとしては、高ニトリルタイプあるいは中高ニトリルタイプが好ましい。ここで、高ニトリルタイプとは、結合アクリロニトリル含有量が、ＮＢＲに対し３６〜４２質量％のものを意味し、中高ニトリルタイプとは、結合アクリロニトリル含有量が、ＮＢＲに対し３１〜３５質量％のものを意味する。  
【００２３】
未架橋ゴムは、熱硬化性樹脂組成物全体（固形分）に対して３〜３５質量％が好ましく、１０〜３０質量％が更に好ましい。この範囲において、摩擦材の十分な機械的強度を保持したまま、十分な添加効果が得られ、本発明の効果を有効に発揮することができる。
【００２４】
熱硬化性樹脂としては、フェノール樹脂（ストレートフェノール樹脂、化合物等（前記未架橋ゴムは除く）による各種変性フェノール樹脂を含む）、メラミン樹脂、エポキシ樹脂、ポリイミド樹脂、ポリアミド樹脂等が挙げられ、単独または２種以上組み合わせて用いられる。
熱硬化性樹脂は、熱硬化性樹脂組成物（固形分）に対して４０〜９２質量％が好ましく、５０〜８０質量％が更に好ましく、この範囲において、本発明の効果を有効に発揮することができる。  
【００２５】
本発明の熱硬化性樹脂組成物は、チタン酸カリウム粒子、未架橋ゴム、及び熱硬化性樹脂のみでも、それ以外の成分（有機溶媒を除く）を含んでもよい。これらの他の成分は特に制限はなく、有機物質でも無機物質でもよく、熱硬化性樹脂組成物（固形分）に対して０〜３０質量％用いられる。  
【００２６】
本発明の熱硬化性樹脂組成物は、造粒用結合材として用いるため、溶液として用いることが好ましい。また、本発明の熱硬化性樹脂組成物含有溶液の製造方法には制限はないが、例えば、以下の製法で製造することが好ましい。
有機溶媒は、熱硬化性樹脂および未架橋ゴムを均一に溶解できるものであれば特に制限されないが、例えば、ベンゼン、トルエン、キシレン等の芳香族系化合物、メタノール、エタノール、イソプロピルアルコール等のアルコール系化合物、アセトン、メチルエチルケトン、メチルイソブチルケトン等のケトン系化合物等が挙げられ、これらのうち、ケトン系化合物が好ましく、アセトン、メチルエチルケトン、メチルイソブチルケトンがさらに好ましい。これらの単独あるいは混合溶媒中に未架橋ゴム、及び熱硬化性樹脂並びに粉砕処理されたチタン酸カリウムまたはそのスラリーを添加し、未架橋ゴムと熱硬化性樹脂を溶解させるとともに粉砕処理されたチタン酸カリウム粒子を分散させた熱硬化性樹脂組成物含有溶液を調製することができる。この際、有機溶媒中に上記材料を添加した初期および終了期に各々５〜１５分間超音波照射処理を行うことが好ましい。これにより、チタン酸カリウム粒子の凝集を効果的に防止することができる。  
【００２７】
本発明では、摩擦作用を与え且つその摩擦性能を調整するための摩擦調整材として、目的に応じて種々の摩擦調整材を用いることができ、通常摩擦材に用いられる、研削材、充填材、固体潤滑材等と呼ばれる種々の固体粒子材料を使用することができる。  
【００２８】
本発明に用いられる摩擦調整用粒子材料としては、従来、摩擦材に一般に摩擦調整材として使用されているものを用いることができる。このような摩擦調整材として、例えば研削材、潤滑材、有機ダスト、金属類、充填材などを挙げることができる。これらは、製品に要求される摩擦特性、例えば、摩擦係数、耐摩耗性、振動特性、鳴き特性等に応じて、単独または２種以上組み合わせて配合することができる。  
【００２９】
研削材としては特に制限はなく、従来摩擦材に研削材として使用されている公知のものの中から、任意のものを適宜選択することができる。この研削材の具体例としては、酸化鉄、酸化アルミニウム、炭化ケイ素、酸化ジルコニウム、ケイ酸ジルコニウム、酸化マグネシウム、二酸化ケイ素などを挙げることができ、これらは１種を単独で用いてもよく、２種以上を組み合わせて用いてもよい。その配合量は、摩擦係数の確保や攻撃性抑制などの観点から、原材料混合物の全量に基づき、通常０〜３０質量％程度、好ましくは５〜１５質量％である。  
【００３０】
潤滑材としては特に制限はなく、従来摩擦材に潤滑材として使用されている公知のものの中から、任意のものを適宜選択することができる。この潤滑材の具体例としては、黒鉛や、二硫化モリブデン、三硫化アンチモン等の金属硫化物などを挙げることができ、これらは１種を単独で用いてもよく、２種以上を組み合わせて用いてもよい。その配合量は、潤滑力や摩擦係数の確保の観点から、原材料混合物の全量に基づき、通常０〜３０質量％程度、好ましくは０〜１５質量％である。  
【００３１】
有機ダストとしては特に制限はなく、従来摩擦材に有機ダストとして使用されている公知のものの中から、任意のものを適宜選択することができる。この有機ダストの具体例としては、ＮＢＲ、ＳＢＲなどのゴムダスト、カシューダストなどを挙げることができ、これらは１種を単独で用いてもよく、２種以上を組み合わせて用いてもよい。その配合量は、フェード時のガス発生の抑制や気孔の効果維持などの観点から、原材料混合物の全量に基づき、通常０〜３０質量％程度、好ましくは０〜１５質量％である。  
【００３２】
金属類としては特に制限はなく、従来摩擦材に金属類として使用されている公知のものの中から、任意のものを適宜選択することができる。この金属類の具体例としては、銅、真ちゅう、亜鉛、鉄などを挙げることができ、これらは１種を単独で用いてもよく、２種以上を組み合わせて用いてもよい。その配合量は、造粒物の比重の増加による摩擦材中での偏析を抑制する観点から、原材料混合物の全量に基づき、通常０〜５０質量％程度、好ましくは０〜２５質量％である。  
【００３３】
充填材などとして、炭酸カルシウム、硫酸バリウム、あるいはバーミキュライトやマイカなどの鱗片状無機物等の無機充填材、さらには有機充填材を含有することができる。これらの充填材は１種を単独で用いてもよく、２種以上を組み合わせて用いてもよい。その配合量は、樹脂結合材が充分に行き渡って結合力を維持すると共に、摩擦材の異常摩耗を抑制するなどの観点から、原材料混合物全量に基づき、通常０〜７０質量％程度、好ましくは０〜５０質量％である。  
【００３４】
また、本発明の摩擦材には、本発明の目的が損なわれない範囲で、所望により、各種添加成分、例えば酸化防止剤、熱安定剤、紫外線吸収剤、光安定剤、離型剤、着色剤、硬化剤などを、上記摩擦調整用粒子材料とともに適宜含有させることができる。  
【００３５】
本発明では、上記熱硬化性樹脂組成物を摩擦調整材の造粒用結合溶液として用いて造粒物（一次造粒物）を製造し、更にそれに水溶性または水分散性結合材含有溶液の存在下で造粒して造粒物（二次造粒物）を製造し、該二次造粒物を成形することにより摩擦材を製造する。
この水溶性ないし水分散性結合材としては、水溶性ないし水分散性高分子化合物を好ましく挙げることができる。具体的には、ポリビニルアルコール、ポリビニルアセタール、ポリビニルピロリドン、ヒドロキシメチルセルロース、カルボキシメチルセルロース、ヒドロキシエチルセルロース、ヒドロキシプロピルセルロース、ポリアクリル酸、ポリメタクリル酸、ポリアクリル酸ナトリウム、ポリ酢酸ビニル、ポリエチレンオキシド、可溶性デンプン、カゼイン、ゼラチン、アルギン酸ナトリウムなどを例示することができる。これらは１種を単独で用いてもよく、２種以上を組み合わせて用いてもよい。  
【００３６】
このポリビニルアルコールは、重合度およびけん化度により、水に対する溶解性が異なり、本発明においては部分けん化ポリビニルアルコールが好ましく、特に重合度が５００〜３５００程度であり、かつけん化度が８５〜９２％程度のものが好ましい。  
【００３７】
当該結合材含有液は、水溶液状および水系エマルジョン状のいずれであってもよい。また水溶性ないし水分散性結合材の濃度は、使用する結合材の種類によって異なるが、ポリビニルアルコールである場合、通常１〜１０質量％程度、好ましくは２〜８質量％である。特に部分けん化型のポリビニルアルコールを用い、水溶液中の固形分濃度を４〜８質量％に調製したポリビニルアルコール水溶液を用いることにより、１５０μｍ未満の微粉末を短時間で抑制することができ、好ましい。  
【００３８】
本発明では、熱硬化性樹脂組成物含有溶液を造粒用結合材として用いて、上記の摩擦調整用粒子材料及び所望により用いられる他の成分が包含された造粒物を作製し、この造粒物を更に水溶性または水分散性結合材含有溶液を造粒用結合材として用いて造粒した後、これをヘンシェルミキサーやタンブラーブレンダーなどの通常の混合機を用いて混合し、その混合物を加熱加圧成形、アフタキュア、研摩等の処理を施すことにより摩擦材を製造することができる。  
【００３９】
本発明の熱硬化性樹脂組成物含有溶液を造粒用結合材として用いて摩擦材用粒子材料を粒子成長させた造粒物は、熱硬化性樹脂組成物が摩擦調整用粒子材料表面に被覆される構造を有するため、その後の成形工程における熱硬化時の原材料の接着性に優れている。また、成形にあたり、フェノール樹脂等の成形用結合材粉末を用いる必要がないので、熱硬化時における成形用結合材の軟化による移動が小さく、造粒物の構造を反映した、すなわち、摩擦材粒子材料等の配置構造が制御された摩擦材を得ることができる。また、水溶性または水分散性結合材含有溶液を用いて造粒することにより、上記の熱硬化性樹脂組成物含有溶液を造粒用結合材として用いた利点を阻害することなく、材料凝集や製造プロセス内での壁面付着、粉塵の発生、さらには繊維材料の配合によるプロセスの簡素化の阻害などの問題を生じることなく、摩擦材を製造することができる。  
【００４０】
一次造粒物および二次造粒物の造粒方法については、上記各成分が包含される造粒物を作製できる方法であれば、制限はなく、例えば、流動層造粒法、攪拌、混練造粒法等、あるいはこれらを組み合わせた複合型造粒法により作製することができる。
本発明の摩擦材用造粒物を流動層で造粒する場合には、前記のようにして調製した原材料混合物と熱硬化性樹脂組成物含有溶液を用い、前記原材料混合物を当該熱硬化性樹脂組成物含有溶液の存在下に流動層で造粒することにより一次造粒物を得、さらに続けて該一次造粒物を水溶性または水分散性結合材の存在下に流動層で造粒することにより、摩擦材用造粒物（二次造粒物）を製造することができる。
この造粒に使用する流動層造粒機としては、下部から吹き込まれる気体によって、流動層を形成し得る造粒機であればよく、特に制限されず、従来公知の各種流動層造粒機、例えば通常流動層造粒機、循環流型流動層造粒機、強制循環流型流動層造粒機、噴流層造粒機などいずれも用いることができる。  
【００４１】
複合型造粒法（攪拌転動流動層型）を用いる場合の具体的造粒法としては、底を流動板ロータとした容器内に、原材料混合物の粉体を入れ、該流動板ロータから加温された空気を送り込むことによって、前記粉体を流動層状態とし、さらに攪拌羽根により粉体を攪拌させ、これに造粒用結合材溶液（当該熱硬化性樹脂組成物含有溶液）をスプレーノズルから噴霧することによって、粉体同士をポーラスな状態で結合させることにより、一次造粒物を形成させることができる。二次造粒物を形成する場合も、同様に行うことができる。
【００４２】
この場合、流動層となっている容器内の温度、容器内の圧力（流動層の状態）、噴霧される結合材含有液の濃度や量、該結合材の種類、結合材含有液の噴霧圧力、流動板ロータや攪拌羽根の回転数などを制御することにより、摩擦材用造粒物の気孔率、粒子径などを調整することができる。例えば、気孔率を高くするためには、相対的に、容器内温度を高く、結合材濃度を高く噴霧量を少なく噴霧圧を高くすればよく、粒子径を大きくするためには、相対的に、容器内温度を低く、結合材濃度を高く噴霧量を多く噴霧圧を低くすればよい。  
【００４３】
本発明の摩擦材は、摩擦材全体に対して、摩擦調整用粒子材料７５〜９５質量％、熱硬化性樹脂組成物（固形分）５〜２０質量％および水溶性または水分散性結合材（固形分）０．１〜５質量％を含むことが好ましく、摩擦材全体に対して、摩擦調整用粒子材料８０〜９０質量％、熱硬化性樹脂組成物（固形分）５〜１５質量％および水溶性または水分散性結合材（固形分）０．１〜３質量％を含むことが更に好ましい。この範囲とすることにより、本発明の効果を有効に発揮することができる。特に水溶性または水分散性結合材の含有量は２質量％未満であることが好ましく、この範囲内において、二次造粒による影響が小さく、摩擦材の機械的強度を十分に確保することができ、好ましい。  
【００４４】
本発明の摩擦材用造粒物は、以下に示す物性を有する摩擦材用造粒物であることが好ましい。すなわち、粒子径は、流動性の観点から１００〜２０００μｍであって、平均粒子径Ｄ５０は３００〜９００μｍ程度である。なお、粒子径および平均粒子径は、レーザー回折散乱法粒度分布計（島津製作所製ＳＡＬＤ−２０００Ａ）にて測定し、平均粒子径Ｄ５０は、体積基準の積算５０％径を意味する。また、ＪＩＳＲ９３０１−２−２に準拠して測定した安息角は４０°以下である。この安息角が４０°を超えると流動性が不十分であり、下限は、通常１５°程度である。好ましい安息角は２０〜４０°であり、より好ましくは２０〜３５°である。さらに、圧縮破壊強度は１０ＭＰａ以下である。この圧縮破壊強度が１０ＭＰａを超えると、造粒物を熱成形型に投入して加熱加圧成形する際に、該造粒物が壊れにくく、成形体内に造粒物界面が残存し、成形体強度低下の原因となる。また、圧縮破壊強度が低すぎると造粒物の搬送中や造粒物と他の成分との混合中に壊れたりするなどの不都合が生じる。したがって、該圧縮破壊強度の下限は、通常１ＭＰａ程度である。好ましい圧縮破壊強度は１〜１０ＭＰａ、より好ましくは１〜５ＭＰａである。なお、この圧縮破壊強度は、微小圧縮試験機（島津製作所製ＭＣＴＭ−５００）により測定した。  
【００４５】
上記のようにして得られた摩擦材用造粒物を加熱加圧成形して熱成形体を得たのち、熱処理することによって、本発明の摩擦材を製造することができる。すなわち、上記で得られた摩擦材用造粒物を、熱成形型に投入し、加熱加圧成形して熱成形体を作製したのち、この熱成形体をさらに熱処理することにより、所望の摩擦材を製造する。  
【００４６】
本発明においては、当該摩擦材用造粒物を熱成形型に投入し、加熱加圧成形するに際し、当該摩擦材用造粒物と繊維基材との混合物を熱成形型に投入することもできる。この場合、繊維状基材は、摩擦材中で骨格を形成し、摩擦材に形成された気孔がつぶれないように、その骨格を維持する機能を有している。  
【００４７】
繊維基材としては、有機繊維および無機繊維のいずれも用いることができる。有機繊維としては、高強度の芳香族ポリアミド繊維（アラミド繊維；デュポン社製、商品名「ケブラー」など）、耐炎化アクリル繊維、ポリイミド繊維、ポリアクリレート繊維、ポリエステル繊維などを挙げることができる。一方、無機繊維としては、チタン酸カリウムウィスカーや炭化珪素ウィスカーなどの無機ウィスカー；ガラス繊維；炭素繊維；ワラストナイト、セピオライト、アタパルジャイト、ハロイサイト、モルデナイト、ロックウールなどの鉱物繊維；アルミナシリカ系繊維などのセラミック繊維；アルミニウム繊維、ステンレス繊維、銅繊維、黄銅繊維、ニッケル繊維などの金属繊維等を挙げることができる。これらの繊維状物質は１種を単独で用いてもよく、２種以上を組み合わせて用いてもよい。
【００４８】
前記繊維基材の平均繊維径は、強度の観点から、通常０．１〜５００μｍ程度、好ましくは０．１〜３００μｍであり、平均長さは、補強の観点から、通常５〜１０００μｍ、好ましくは１０〜３００μｍである。  
【００４９】
本発明の摩擦材用造粒物と繊維基材の割合は、繊維状基材が、摩擦材中で骨格を形成し、摩擦材に形成された気孔がつぶれるのを抑制する観点から、両者の合計量に基づき、繊維基材が３〜５０質量％であることが好ましく、１０〜４５質量％であることがより好ましい。  
【００５０】
本発明においては、当該摩擦材用造粒物または当該摩擦材用造粒物と繊維基材との混合物を熱成形型に投入し、加熱加圧成形する際の条件としては、通常、温度１００〜２５０℃程度、圧力１０〜７０ＭＰａ程度であり、好ましくは温度１４０〜１９０℃程度、圧力３０〜５０ＭＰａである。  
【００５１】
本発明においては、前記熱成形体をさらに熱処理することにより、目的の原材料の配置や気孔率を有する摩擦材を製造することができる。この熱処理は、通常１５０〜３５０℃程度の温度で、０．５〜１２時間程度、好ましくは２００〜３００℃の温度で、０．５〜６時間行われる。  
【００５２】
例えばディスクブレーキ用ブレーキパッドを製造する場合は、板金プレスにより所定の形状に成形され、脱脂処理及びプライマー処理が施され、そして接着剤が塗布されたプレッシャプレートと、上記摩擦材用造粒物あるいはそれらと繊維基材との混合物とを、熱成形工程において所定の温度及び圧力で熱成形して両部材を一体に固着し、アフタキュアを行い、最終的に仕上げ処理を施す工程により製造することができる。  
【００５３】
本発明に従い、本発明の摩擦材用造粒物を用いて摩擦材を成形することにより、以下に示す効果を奏する。
（１）一次造粒物は、本発明の熱硬化性樹脂組成物により表面被覆された構造を有するため、熱硬化時において、造粒物同士の接着性に優れており、繊維基材を用いずとも十分な強度の摩擦材を得ることができる。また、フェノール樹脂等の成形用結合材粉末が不要であるため、熱硬化時における成形用結合材の軟化による移動が小さく、造粒物の構造を反映した摩擦材が得られる。また、各原料の分離・偏析を抑制することができ、各成分を均質に分散させることができる。
（２）更に水溶性または水分散性結合材含有溶液を用いて二次造粒するため、上記一次造粒において十分に成長できなかった微細な粒子があっても、十分に粒子成長させた二次造粒物を得ることができ、粉塵発生等を抑制することができ、しかも、上記利点を阻害しない。
【実施例】
【００５４】
以下に、実施例及び比較例を示し、本発明を具体的に説明するが、本発明は下記の実施例に限定されるものではない。  
【００５５】
調製例１（熱硬化性樹脂組成物含有溶液の調製）
１）チタン酸カリウム微粒子の作製
ビーズミルによる湿式粉砕処理により、動的光散乱式粒度分布測定（日機装株式会社製ナノトラックＵＰＡ）にて平均粒子径１１７ｎｍのチタン酸カリウム粒子を２−プロパノール中に分散させたスラリーを得た。  
【００５６】
２）熱硬化性樹脂組成物含有溶液の調製
表１に記載のとおりの配合の熱硬化性樹脂組成物を、下記の手順により調製した。
ＮＢＲは、高ニトリルタイプを使用し、フェノール樹脂はノボラックタイプを用い、硬化剤としてヘキサメチレンテトラミンを１０質量％添加したものを用いた。まずＮＢＲとフェノール樹脂を２−ブタノン中に溶解させ、次いで上記で調製した２−プロパノール中に分散させたチタン酸カリウム微粒子を混合した後、超音波照射を行うことにより、チタン酸カリウム微粒子を分散させた熱硬化性樹脂組成物を得た。この際、２−ブタノン中の熱硬化性樹脂組成物固形分は３０質量％に調製して、複合型流動層の造粒用結合材溶液として用いた。  
【００５７】
【表１】
0005696327.tif 000002
【００５８】
調製例２（水溶性結合材含有溶液の調製）
部分けん化型ポリビニルアルコール（日本合成化学工業（株）製、ＧＨ−２０）を用い、イオン交換水中に固形分濃度６質量％に調製したポリビニルアルコール水溶液を作製した。
【００５９】
実施例１
１）一次造粒物の作製
複合型流動層（フロイント産業（株）製ＳＦＣ−ＭＩＮＩ）を用い、表２の一次造粒物の欄に示す摩擦調整材を同欄に示すとおりの量で流動層内に投入し、上記の通りに調製して得た固形分３０質量％の熱硬化性樹脂組成物含有溶液を摩擦材に対する固形分の添加割合が１０質量％となるように噴霧して、原材料の造粒と乾燥を行い、一次造粒物を作製し、ふるい分け法により粒度分布を測定した。  
【００６０】
２）二次造粒物の作製
一次造粒物に対して、該造粒物に対するポリビニルアルコール固形分添加量が０．７質量％となるように、上記ポリビニルアルコール水溶液を噴霧して、造粒、乾燥を行い、二次造粒物を作製し、上記と同様にして粒度分布を測定した。  
【００６１】
３）摩擦材の作製
得られた二次造粒物（摩擦材用造粒物）を熱成形型へ直接投入し、１５０℃、４０ＭＰａの条件で５分間加熱加圧成形を行い、２２０℃で３時間熱処理することにより、摩擦材を作製した。  
【００６２】
実施例２
実施例１において、二次造粒物の作製において、一次造粒物に対してポリビニルアルコール固形分添加量が１．３質量％となるようにポリビニルアルコール水溶液を噴霧した以外は実施例１と同様にして、摩擦材を作製した。  
【００６３】
実施例３
実施例１において、二次造粒物の作製において、一次造粒物に対してポリビニルアルコール固形分添加量が１．７質量％となるようにポリビニルアルコール水溶液を噴霧した以外は実施例１と同様にして、摩擦材を作製した。  
【００６４】
比較例１
熱硬化性樹脂組成物を用いずに、摩擦材用結合材としてフェノール樹脂を使用し、造粒用結合材として上記水溶性結合材含有溶液を用いて造粒して摩擦材用造粒物を作製した以外は、実施例１と同様にして摩擦材を作製した。
すなわち、上記と同様の複合型流動層（フロイント産業（株）製ＳＦＣ−ＭＩＮＩ）を用い、表２の比較例１の欄に示す摩擦調整材を同欄に示すとおりの量で流動層内に投入し、上記の通りに調製して得た固形分６質量％のポリビニルアルコール水溶液を、摩擦材に対する添加割合が１．３質量％になるように噴霧して、原材料の造粒と乾燥を行って、摩擦材用造粒物を作製し、これを実施例１と同様にして熱成形型へ直接投入して加熱加圧成形及び熱処理を行い、摩擦材を作製した。  
【００６５】
＜摩擦材の機械的強度の測定＞
上記の実施例１〜３及び比較例１で得られた各摩擦材の最大応力についての測定結果を表２に示す。ここで、最大応力は、万能試験機（島津製作所製ＡＧ−Ｘ、１０ｋＮ）を用いて試験片サイズを８×８×１０ｍｍ（成形加圧方向が１０ｍｍ）に加工し、これを３００℃にて３０分間保持した条件下で圧縮し、破壊に至るまでの最大応力を求めたものである。  
【００６６】
【表２】
0005696327.tif 000003
【００６７】
一次造粒物では、１５０μｍ未満の微粒子が１１．０質量％存在したのに対し、一次造粒物をポリビニルアルコール水溶液で造粒して得られた実施例１〜３の二次造粒物は、いずれも１５０μｍ未満の粒子が１質量％以下まで低減され、造粒物からの粉塵を有効に抑制するとともに、熱硬化性樹脂組成物を用いることにより、十分な機械的強度向上効果が得られることが分かる。
また、実施例２および３の結果から、ポリビニルアルコールの添加量の増大により摩擦材の機械的強度が低下することから、ポリビニルアルコールが成形バインダとして機能していないことが推認されるが、一般的に摩擦材の成形バインダとして使用されるフェノール樹脂を結合材として用い、水溶性バインダを造粒用結合材として用いて作製した摩擦材（比較例１）の機械的強度よりも十分に高く、本発明の熱硬化性樹脂組成物による成形体の機械的強度向上効果を十分に発現させていることが分かる。
【産業上の利用可能性】
【００６８】
本発明の摩擦材は、優れた機械的強度を有するとともに、摩擦性能の制御が容易であり、自動車、大型トラック、鉄道車両、各種産業機械等のディスクパッド、ブレーキライニング、クラッチフェーシング等に好適に用いることができる。